(57)【要約】【課題】壁紙切断用テープの終端が近づいて、巻き出し切れが発生することを事前に検知することが可能で、従来の自動壁紙糊付機のように、壁紙切断用テープが貼着されない状態で、糊付け工程が行われることのない壁紙切断用テープを用いた自動壁紙糊付機を提供する。【解決手段】壁紙糊付機本体１２で、壁紙Ｇの裏面ＧＢに、糊を自動的に塗布し、壁紙Ｇの糊付け面が乾燥しないように、フィルムＢが糊付け面に貼り付けられた状態の貼着壁紙体Ｔを、ロール形状に巻き取るための自動壁紙糊付機のための巻き取り装置１００であって、巻き取り装置１００が、自動壁紙糊付機１０に対して脱着自在に装着可能に構成されている。【選択図】図７
2020100077.tif 000002
【特許請求の範囲】
【請求項１】
壁紙糊付機本体で、壁紙の裏面に、糊を自動的に塗布し、壁紙の糊付け面が乾燥しないように、フィルムが糊付け面に貼り付けられた状態の貼着壁紙体を作製するための自動壁紙糊付機のためのフィルム貼着装置であって、
ロール形状に巻かれたフィルム送り出し装置から送り出されたフィルムと、壁紙糊付機本体で、壁紙の裏面に、糊が自動的に塗布された糊付き壁紙とが、
前記壁紙糊付機本体の下方の位置において、フィルムに対して壁紙の糊付け面を貼着するフィルム貼着位置が備えられ、フィルム貼着位置で貼着壁紙体を作製するように構成されていることを特徴とする自動壁紙糊付機のためのフィルム貼着装置。
【請求項２】
前記フィルム貼着位置が、壁紙を切断するための壁紙切断位置Ｘの下方に位置するように構成されていることを特徴とする自動壁紙糊付機のためのフィルム貼着装置。
【請求項３】
前記フィルム貼着位置が、
ロール形状に巻かれたフィルム送り出し装置から送り出されたフィルムを案内する第１のテンション部材、または、その下流側に備えられ、
前記第１のテンション部材を通過する際に、フィルムに対して壁紙の糊付け面を貼着するように構成されていることを特徴とする請求項１から２のいずれかに記載の自動壁紙糊付機のためのフィルム貼着装置。
【請求項４】
前記フィルムが糊付け面に貼り付けられた状態の貼着壁紙体を案内する第２のテンション部材を備え、
前記貼着壁紙体が第２のテンション部材を通過する際に、フィルムに対して壁紙の糊付け面の貼着状態の密着が促進されるように構成されていることを特徴とする請求項２に記載の自動壁紙糊付機のためのフィルム貼着装置。
【請求項５】
壁紙糊付機本体で、壁紙の裏面に、糊を自動的に塗布し、壁紙の糊付け面が乾燥しないように、フィルムが糊付け面に貼り付けられた状態の貼着壁紙体を、ロール形状に巻き取るための自動壁紙糊付機のための巻き取り装置であって、
前記巻き取り装置が、自動壁紙糊付機に対して脱着自在に装着可能に構成されていることを特徴とする自動壁紙糊付機のための巻き取り装置。
【請求項６】
ロール形状に巻かれたフィルム送り出し装置から送り出されたフィルムを案内する第１のテンション部材を備え、
前記第１のテンション部材を通過する際に、フィルムに対して壁紙の糊付け面を貼着するように構成され、
前記フィルムが糊付け面に貼り付けられた状態の貼着壁紙体を案内する第２のテンション部材を備え、
前記貼着壁紙体が第２のテンション部材を通過する際に、フィルムに対して壁紙の糊付け面の貼着状態の密着が促進されるように構成され、
前記第２のテンション部材を通過した貼着壁紙体が、巻き取り機構に巻き取られるように構成したことを特徴とする請求項５に記載の自動壁紙糊付機のための巻き取り装置。
【請求項７】
前記巻き取り機構が、
前記第２のテンション部材を通過した貼着壁紙体を巻き取るための巻取軸と、
前記巻取軸に対して平行に付設された補助巻取軸とを備えることを特徴とする請求項５から６のいずれかに記載の自動壁紙糊付機のための巻き取り装置。
【請求項８】
前記巻き取り機構が、
前記巻取軸と補助巻取軸を保持する脱着自在な端部ブラケット部材を備え、
前記端部ブラケット部材を取り外して、前記巻取軸と補助巻取軸との離間距離を短くすることによって、巻き取られた貼着壁紙体を巻取軸と補助巻取軸から取り外すことができるように構成されていることを特徴とする請求項７に記載の自動壁紙糊付機のための巻き取り装置。
【請求項９】
前記補助巻取軸が、巻取軸に比較して剛性の小さな材料から構成されていることを特徴とする請求項７から８のいずれかに記載の自動壁紙糊付機のための巻き取り装置。
【請求項１０】
前記巻取軸の外径が、３〜１０ｍｍの範囲に設定されていることを特徴とする請求項７から９のいずれかに記載の自動壁紙糊付機のための巻き取り装置。
【請求項１１】
前記巻取軸と補助巻取軸との間の距離が、２０ｍｍ〜６０ｍｍの範囲に設定されていることを特徴とする請求項７から１０のいずれかに記載の自動壁紙糊付機のための巻き取り装置。
【請求項１２】
前記巻き取り機構が、
前記第２のテンション部材を通過した貼着壁紙体を巻き取るための巻取軸を備え、
前記巻取軸が、径の大きさが変更可能なように構成されていることを特徴とする請求項５から６のいずれかに記載の自動壁紙糊付機のための巻き取り装置。
【請求項１３】
前記巻き取り機構が、
前記巻取軸を保持する脱着自在な端部ブラケット部材を備え、
前記端部ブラケット部材を取り外して、前記巻取軸の径を縮径することによって、巻き取られた貼着壁紙体を巻取軸から取り外すことができるように構成されていることを特徴とする請求項１２に記載の自動壁紙糊付機のための巻き取り装置。
【請求項１４】
前記第２のテンション部材が、第１のテンション部材よりも下方の位置に配置されるとともに、
前記第２のテンション部材の中心Ｑが、第１のテンション部材の中心Ｐの鉛直方向よりも巻き取り側に位置するように構成されていることを特徴とする請求項５から１３のいずれかに記載の自動壁紙糊付機のための巻き取り装置。
【請求項１５】
前記第２のテンション部材が、複数個設けられ、上下方向に千鳥形状に設けられていることを特徴とする請求項５から１４のいずれかに記載の自動壁紙糊付機のための巻き取り装置。
【請求項１６】
前記壁紙を切断するための壁紙切断位置Ｘと、前記フィルムを切断するためのフィルム切断位置Ｙとが、異なる位置に位置するように構成されていることを特徴とする請求項５から１５のいずれかに記載の自動壁紙糊付機のための巻き取り装置。
【請求項１７】
前記フィルムを切断するためのフィルム切断位置Ｙが、前記第２のテンション部材と巻取軸との間に位置するように構成されていることを特徴とする請求項１６に記載の自動壁紙糊付機のための巻き取り装置。
【請求項１８】
請求項１から１０のいずれかに記載の自動壁紙糊付機のためのフィルム貼着装置を備えることを特徴とする自動壁紙糊付機。
【請求項１９】
請求項５から１７のいずれかに記載の自動壁紙糊付機のための巻き取り装置を備えることを特徴とする請求項１８に記載の自動壁紙糊付機。
【発明の詳細な説明】
【技術分野】
【０００１】
本発明は、壁紙（クロス）の裏面に、例えば、天井、壁面に貼着するための糊を、自動的に塗布し、壁紙の糊付け面が乾燥しないように、ならびに、糊皺を防止するために、フィルムが糊付け面に貼り付けられた状態の貼着壁紙体を作製するための自動壁紙糊付機のためのフィルム貼着装置、および、貼着壁紙体をロール形状に巻き取るための自動壁紙糊付機のための巻き取り装置、ならびに、それらを備えた巻き取り装置を備えた自動壁紙糊付機に関する。
【背景技術】
【０００２】
従来より、内装の施工において、壁紙施工については、新築、リフォームなどの場合に、専門の内装施工業者が、施工現場に専用の壁紙糊付機を持ち込んで、壁紙糊付機を用いて壁紙の裏面に糊付けをして、施工する場合が多い。
【０００３】
しかしながら、昨今、ＤＩＹがブームとなっており、例えば、ホームセンター、ＤＩＹショップ、インターネットショップなどにおいて、壁紙販売コーナーを設けて、何種類かの壁紙の販売や、壁紙施工に必要な工具、糊、パテなどの壁紙施工に必要な副資材の販売も行われている。
【０００４】
ところで、このような、従来、ホームセンター、ＤＩＹショップ、インターネットショップなどで販売されている壁紙は、壁紙の裏面である糊付け面が、水で活性化するというタイプの再湿性の壁紙や、ステッカーやシールのように糊付け面に貼着した離型紙を剥がして、シール面を貼り付けるタイプの壁紙などが多かった。
【０００５】
しかしながら、これらのタイプの壁紙は、一度貼着した後に、もう一度剥がして位置をずらしたりすることがほとんどできないタイプの壁紙である。
【０００６】
従って、これらのタイプの壁紙を用いる場合には、壁紙の位置合わせが非常に難しく、慎重に位置決めして、気を使いながら、シワなども発生しないように施工しなければならず、施工性が悪いものであった。
【０００７】
これに対して、内装施工業者が使用している澱粉糊は、施工途中で何度か貼り直しをしたり、一度貼り付けてもすぐに剥がして貼着位置を変えたりすることができるので、施工性が良好である。このため、ホームセンター、ＤＩＹショップなどの店頭でも、このような澱粉糊を壁紙に塗布して販売することが行われている。
【０００８】
例えば、５ｍ、１０ｍなどの所定の長さの壁紙に澱粉糊を塗布して、糊付け面にカットテープの貼着けと、糊面全体に対して乾燥防止用フィルムを貼り、それを真空パックした状態で箱入りにして販売したりされている。
【０００９】
また、店頭において壁紙の見本帳を置き、購入者に希望する壁紙を選んでもらい、長さや枚数について注文を受け、この注文を１カ所の糊付作業場に集約して糊付を行って、購入者の自宅へ宅配便などで配送するという販売が行われている。しかしながら、宅配便での配送では、購入者の手元には数日してから届くため、購入者にとっては不便であった。
【００１０】
このため、最近では、郊外などに敷地面積の大きなホームセンター、ＤＩＹショップが建てられ、そのような大型店舗では、数十種類から百種類程度の壁紙を展示して、購入者の要望に応じて切り売りしている。すなわち、購入者の要望があれば、店頭で購入者が選んだ壁紙に、糊付料金を追加徴収して糊を塗布することが行われている。
【００１１】
このように、店頭で購入された壁紙に糊を塗布するために、内装施工業者が使用する壁紙糊付機が使用されたりしている。すなわち、店内で切り売りした壁紙に糊を塗布し、必要に応じ長さ方向に切断し、糊の塗布された面同士を合わせるように折りたたみ、袋に入れて購入者に渡されている。
【００１２】
しかしながら、このような袋は、必ずしも密閉されているわけではないため、壁紙の端部から乾燥していくために、壁紙はその日のうちに使用する必要があった。
【００１３】
また、自動壁紙糊付機を用いて、メートル数の大きい壁紙に連続で糊付けを行った場合、糊の塗布された面同士を合わせるように折りたたみながら行うが、この場合、壁紙に折ジワが付き、施工の際に、施工不具合、すなわち、仕上がりが悪くなってしまう。
【００１４】
このため、糊付した壁紙を折りたたまずに保管、運搬する必要がある。
【００１５】
さらに、壁紙と糊の種類によっては、壁紙の裏面に塗布した糊山が、厚みの薄い壁紙では、糊山が、壁紙の表面側に現れて、糊跡などが発生して、施工不具合、すなわち、仕上がりが悪くなってしまう。
【００１６】
このため、糊付け面にフィルムを貼着し、糊山を物理的に潰すなどの対策が必要になる。
【００１７】
また、糊付けした壁紙は、糊を壁紙になじませるために、糊付け後にオープンタイムを取るが、折り畳んだ壁紙は、糊面同士を接着させた箇所と、糊面同士を接着させていない箇所では、糊の乾燥具合が異なり、施工した際に貼り付きが悪い部分が発生することになる。
【００１８】
このために、乾燥具合を均等にするために、糊付け面全面にフィルムなどを貼り付ける必要がある。
【００１９】
さらに、糊付けした壁紙は、汚れなどが付着しないように運搬する必要があり、壁紙の種類によっては、折れやすいなどの特性があるため、運搬性が悪い。
【００２０】
このため、糊付けした壁紙を、運搬しやすいように養生する必要がある。
【００２１】
このような課題を解決して、数日から一週間程度保管を可能にするには、糊付け面全面に対して、乾燥防止用フィルムを貼り、密閉した袋に入れることが必要である。
【００２２】
このため、特許文献１（特許第４３２１７７１号公報）示したような構造の壁紙糊付巻取機が提案されている。
【００２３】
すなわち、図１５に示したように、特許文献１の壁紙糊付巻取機２００は、底部に移動用キャスター２０２が設けられた架台フレーム２０４を備えている。そして、この架台フレーム２０４の略中央部分の中央フレーム２０６に、従来から知られている自動壁紙糊付機と同様な構造を備えた壁紙糊付機本体２０８が、載置するように設けられている。
【００２４】
一方、架台フレーム２０４の前方側の前方フレーム２１０の下方、すなわち、壁紙糊付機本体２０８よりも下方の位置に、壁紙Ｇの壁紙原反ロール２１２が、繰り出し可能に、かつ、脱着自在に装着されている。
【００２５】
また、図１５に示したように、架台フレーム２０４の壁紙糊付機本体２０８の後方側の後方フレーム２１１に、壁紙糊付機本体２０８よりも下方の位置に、乾燥防止用フィルムＢの乾燥防止用フィルム原反ロール２１３が、繰り出し可能に、かつ、脱着自在に装着されている。
【００２６】
また、架台フレーム２０４の壁紙糊付機本体２０８の下方の下方フレーム２１５に、カットテープＣのカットテープ原反ロール２２０が、繰り出し可能に、かつ、脱着自在に装着されている。
【００２７】
なお、カットテープＣは、従来から知られている自動壁紙糊付機と同様に、壁紙Ｇの左右の端部に貼り付けすることができるように、架台フレーム２０４の下方フレーム２１５の両側に、それぞれ設けられている構成となっている。
【００２８】
また、架台フレーム２０４の前方側の前方フレーム２１０の上部には、巻き取り装置２２４が設けられている。
【００２９】
この巻き取り装置２２４は、後述するように、壁紙糊付巻取機２００の壁紙糊付機本体２０８を通過することによって、壁紙Ｇの裏面ＧＢに糊が塗布され、乾燥防止用フィルムＢ、カットテープＣが、壁紙Ｇの裏面ＧＢの糊付け面に貼着された壁紙Ｇを、手動または自動で、巻き取るように構成されている。なお、図１５、図１６では、手動ハンドルＨを示している。
【００３０】
なお、壁紙糊付機本体２０８は、従来から知られている自動壁紙糊付機と同様な構成となっており、図１５に示したように、上部が開放して糊付される壁紙の搬送を見ることができる状態の略箱体形状の本体フレーム２２６を備えている。
【００３１】
この本体フレーム２２６は、図１５に示したように、上部フレーム２２８と、下部フレーム２３０とから構成されている。そして、上部フレーム２２８の上部には、左右方向に離間して配置された一対の図示しない把手を備えている。
【００３２】
この把手を把持して操作することによって、後述するように、壁紙Ｇを壁紙糊付機本体２０８に配置したり、メンテナンスのために、下部フレーム２３０に対して、図示しないピボット軸を回動中心として、図１５の矢印で示したように、開閉可能なように構成されている。
【００３３】
なお、図１５に示したように、上部フレーム２２８と、下部フレーム２３０には、上部フレーム２２８を下部フレーム２３０に対して閉じた状態で固定するために、例えば、いわゆる「パチン錠」などの係止具２３２が設けられている。
【００３４】
壁紙原反ロール２１２から送り出された壁紙Ｇは、案内ステー、または、案内ローラー２１４を介して、送り出しローラー２１６と、検尺ローラー２１８との間に挟持されるように搬送される。
【００３５】
また、送り出しローラー２１６は、下部フレーム２３０の左右の側板部に回転可能に装着されているとともに、図示しない、複数の歯車機構を介して、駆動部の駆動モーターの駆動が伝達されるように構成されている。
【００３６】
そして、壁紙Ｇの裏面ＧＢが、送り出しローラー２１６に当接するとともに、検尺ローラー２１８が、壁紙Ｇの表面ＧＡに当接して、送り出しローラー２１６により搬送される壁紙Ｇに従動して回転するように構成されている。
【００３７】
このように、送り出しローラー２１６と、検尺ローラー２１８との間に挟持されるように搬送された壁紙Ｇは、図１５に示したように、壁紙Ｇの裏面ＧＢに対して、糊を塗布する糊付装置２３１に搬送される。
【００３８】
この糊付装置２３１では、壁紙Ｇの表面ＧＡが、ハイテンションローラー２３４に当接するように壁紙Ｇが通過するとともに、壁紙Ｇの裏面ＧＢが、糊付ローラー２３６と接触するように構成されている。
【００３９】
また、図１５に示したように、糊付ローラー２３６と接触するように、糊付ローラー２３６の下方側に、糊上ローラー２３８が設けられており、糊収容タンク（糊箱）２２５に収容した糊を糊上ローラー２３８から、糊付ローラー２３６に転写するように構成されている。
【００４０】
また、糊付ローラー２３６の上流側には、糊付ローラー２３６と当接するように、ドクターローラー２４０が設けられている。このドクターローラー２４０と糊付ローラー２３６との間の距離を調整することによって、糊付ローラー２３６から、壁紙Ｇに転写する糊の厚さ（量）が、所定の厚さになるように調整するように構成されている。
【００４１】
さらに、糊付ローラー２３６の下流側には、押えローラー２４２が設けられており、押えローラー２４２が、壁紙Ｇの表面ＧＡと当接するように構成されている。
【００４２】
また、押えローラー２４２の下流側には、壁紙Ｇの裏面ＧＢと当接するナラシローラー２４４が設けられている。
【００４３】
さらに、図１５に示したように、ナラシローラー２４４の右側には、第１のテーブル２４６が設けられている。第１のテーブル２４６は、壁紙糊付機本体２０８の両側において、テーブルフレーム２４６ａが設けられ、これらのテーブルフレーム２４６ａに、テーブル２４６ｂが、脱着自在に設けられている。
【００４４】
また、図１５に示したように、検尺ローラー２１８から糊付ローラー２３６に至る経路の上方には、第２のテーブル２４８が設けられている。
【００４５】
さらに、図１５に示したように、壁紙糊付巻取機２００には、制御ボックス２５２が設けられており、糊付長さや枚数などの各種の設定や、運転・停止・寸動・割り込みスイッチなどの各操作ができるスイッチが適宜設けられている。
【００４６】
また、フットスイッチ２５４が設けられ、フットスイッチ２５４を作動させると、壁紙糊付機本体２０８の停止が行われるように設定されている。
【００４７】
このように、制御ボックス２５２の停止スイッチとは別に、フットスイッチ２５４が併設されており、フットスイッチ２５４を踏むことにより、任意位置ですばやく機械を停止させることができるように構成されている。
【００４８】
なお、このフットスイッチ２５４を踏むたびに、停止と運転とを繰り返す作動をするようにしても構わない。
【００４９】
このように構成される糊付装置２３１では、概略、以下のように、操作して作動されるようになっている。
【００５０】
先ず、図１６に示したように、乾燥防止用フィルムＢとカットテープＣを、ナラシローラー２４４に巻くようにして、壁紙糊付機本体２０８から引き出し、引き出した先端をテープなどで、第１のテーブル２４６に貼り付けておく。
【００５１】
この際、乾燥防止用フィルムＢの先端を、第２のテーブル２４８の左側にあるステー２５０まで引き出してから、第１のテーブル２４６の側へ折り返すように載置しておく。
【００５２】
次に、上部フレーム２２８の係止具２３２（パチン錠）を開放して、上部フレーム２２８を上方に開き、制御ボックス２５２に設けられている割り込みスイッチ（図示せず）を押し、設定されている一定糊付速度で壁紙糊付機本体２０８を作動させる。
【００５３】
このように、壁紙糊付機本体２０８を作動させた状態で、壁紙Ｇを壁紙原反ロール２１２から引き出し、図１５、図１６に示したような経路を通して、糊付ローラー２３６に壁紙Ｇの先端を貼り付けるように置く。
【００５４】
そして、送り出しローラー２１６と、検尺ローラー２１８との間に挟持されるように搬送された壁紙Ｇは、ハイテンションローラー２３４と押えローラー２４２によって、糊付ローラー２３６に対して、所定のテンションで接触するように構成されている。
【００５５】
そして、糊収容タンク（糊箱）２２５に収容した糊が、糊上ローラー２３８から、糊付ローラー２３６に転写される。この際、ドクターローラー２４０により、壁紙Ｇに転写する糊の厚さ（量）が、所定の厚さになるように調整される。
【００５６】
図１５に示したように、糊付ローラー２３６によって、壁紙Ｇの裏面ＧＢに糊が塗布された後、壁紙Ｇがナラシローラー２４４側へ搬送される。壁紙Ｇの先端を指で持ち、壁紙Ｇの先端がナラシローラー２４４を過ぎる位置くらいで、フットスイッチ２５４を作動させて、壁紙糊付機本体２０８の作動を停止させる。この位置で、壁紙Ｇの先端を、乾燥防止用フィルムＢへ貼り付ける。
【００５７】
これにより、壁紙Ｇの先端に対して、乾燥防止用フィルムＢが、約２０ｃｍ程度長くなった状態で貼り付けられ、カットテープＣが、壁紙Ｇの両端の適切な位置へ貼り付いた状態となる。
【００５８】
ここで、第１のテーブル２４６にテープなどで貼り付けられた乾燥防止用フィルムＢとカットテープＣは外しておく。
【００５９】
そして、上部フレーム２２８を閉じて、係止具２３２（パチン錠）で固定し、制御ボックス２５２の入力装置であるテンキー（図示せず）を使用して、顧客の所望の長さを入力して、スタートスイッチ（図示せず）で糊付作業を開始する。
【００６０】
図１５に示したように、糊付ローラー２３６によって、壁紙Ｇの裏面ＧＢに糊が塗布された後、乾燥防止用フィルム原反ロール２１３から繰り出された乾燥防止用フィルムＢが、ナラシローラー２４４の上流側から、壁紙Ｇの裏面ＧＢの糊付け面に貼着されるように供給される。
【００６１】
また、これと同時に、カットテープ原反ロール２２０から繰り出されたカットテープＣが、ナラシローラー２４４の上流側から、壁紙Ｇの裏面ＧＢの糊付け面に、壁紙Ｇの左右の端部に貼着されるように供給される。
【００６２】
このように、壁紙Ｇの裏面ＧＢに糊が塗布され、乾燥防止用フィルムＢ、カットテープＣが、壁紙Ｇの裏面ＧＢの糊付け面に貼着された後、ナラシローラー２４４によって、均一の厚さになるように処理される。
【００６３】
そして、ナラシローラー２４４によって、均一の厚さになるように処理された壁紙Ｇは、壁紙糊付機本体２０８から排出された後、巻き取り装置２２４によって、手動または自動で、巻き取られるように構成されている。
【００６４】
なお、この際、購入者が所望する長さ分糊付けされたとき、壁紙糊付機本体２０８が停止する。ここで作業者は、カッターなどで壁紙切断位置Ｘにおいて壁紙Ｇを切断する。
【００６５】
そして、壁紙Ｇの切断後、割り込みスイッチなどを押して、壁紙Ｇの後端が巻き取り装置２２４に巻き取られるまで、壁紙糊付機本体２０８を作動させ、巻取りが完了した時に、フットスイッチ２５４などによって、壁紙糊付機本体２０８の作動を停止させる。
【００６６】
この状態で、作業者が、カッターなどで、第２のテーブル２４８のステー２５０の側端部を、乾燥防止用フィルムＢの切断ガイドとして用いて、乾燥防止用フィルムＢと、カットテープＣを切断する。そして、乾燥防止用フィルムＢの後端を、テープ止めなどして１本のロール状に梱包する。それと同時に、切断されたもう一方の乾燥防止用フィルムＢの先端側をカットテープＣとともに、再び、第１のテーブル２４６へテープなどで仮止めする。
【００６７】
以上で、一つの壁紙Ｇの付作業は完了となり、あとは、この手順を繰り返して、必要な枚数分、糊付作業を行うように構成されている。
【００６８】
これにより、糊付作業者は、ホームセンターなどの店内において、糊付されているかどうか、カットテープＣが所定の位置にうまくついているのかどうか、さらに、乾燥防止用フィルムＢが気泡を噛むことなく、壁紙Ｇの糊付け面にうまく貼り付いた状態になっているかどうかの確認をしながら、糊付巻取作業が可能となる。
【００６９】
そのため、店内において作業する人が、経験の浅いパートの人でも、安心して糊付作業ができるようになる。
【００７０】
また、次の糊付作業のために、乾燥防止用フィルムＢと、カットテープＣの少なくともいずれかを、第１のテーブル２４６に仮止めしておくことで、糊付作業前に乾燥防止用フィルムＢと、カットテープＣを、その都度所定の経路を通るようにセットする手間を省くことができ、店内での糊付巻取作業を効率的に行うことができるようになる。
【００７１】
さらに、壁紙Ｇと、乾燥防止用フィルムＢと、カットテープＣを貼り付けした後に、一時停止した位置において、壁紙糊付巻取機２００の巻き取り装置２２４にセットする紙管へ、巻き取る壁紙Ｇの先端の固定が容易にできるものである。
【００７２】
このような特許文献１の壁紙糊付巻取機２００で糊付けされた壁紙Ｇは、乾燥防止用フィルムＢを、糊が塗布された壁紙Ｇの裏面ＧＢに貼着されており、実際の施工の際には、購入者が乾燥防止用フィルムＢを剥がして、例えば、天井、壁面に貼着して施工するので、通常の壁紙施工者が糊付作業をする際よりも多めに糊が塗布されている。
【００７３】
この場合、特許文献１の壁紙糊付巻取機２００では、巻き取り装置２２４によって、手動で（例えば、ハンドルで巻き取るようにして）、または、自動で（例えば、パウダークラッチを使用して）、巻き取りのテンションを調整しながら、柔らかく巻き取るようにしている。
【００７４】
しかしながら、特許文献１の壁紙糊付巻取機２００では、巻き取り装置２２４では、図示しないが、巻き取り芯棒を用いて壁紙Ｇを巻き取っている。従って、巻き取るメートル数が大きくなると、巻き取り芯棒によって、ロールの中心付近の壁紙Ｇに対して、巻き取りのための力が大きくかかるようになる。
【００７５】
このため、壁紙Ｇが絞められて、塗布した糊が壁紙Ｇの両端部からはみ出てしまうことになってしまい、製品として使用できないことにもなる。そのため、巻き取り芯棒を使用した巻き取りでは、大きな巻径まで巻き取りができないことになる。
【００７６】
この問題を解決するため、特許文献２（特開２０１７−８１６８０号公報）の壁紙糊付巻取機２００が提案されている。
【００７７】
なお、図１７〜図１８において、特許文献１の壁紙糊付巻取機２００と同様な構成部材には、同じ参照番号を付して、その詳細な説明については省略する。
【００７８】
この特許文献２の壁紙糊付巻取機２００では、図１７〜図１８に示したように、壁紙Ｇと、乾燥防止用フィルムＢと、カットテープＣを貼り付けした後に、巻き取り装置２２４で壁紙Ｇをロール形状に巻き取る際に、巻き取られる壁紙Ｇの表面ＧＡに対して、押圧しながら従動回転する押圧従動部を有する巻き取りアシスト装置２６０が、巻き取り装置２２４に付設するように備えられている。
【００７９】
なお、図示しないが、巻き取りアシスト装置２６０としては、特許文献２の図１、図２に開示されるように、巻き取られる壁紙の表面に対して、押圧従動部を離接することができる離接機構、巻き取られる壁紙に対して、押圧しながら従動するアシストベルトから構成されている。
【先行技術文献】
【特許文献】
【００８０】
【特許文献１】特許第４３２１７７１号公報
【特許文献２】特開２０１７−８１６８０号公報
【発明の概要】
【発明が解決しようとする課題】
【００８１】
このような従来の特許文献１、特許文献２の壁紙糊付巻取機２００は、いずれも、例えば、ホームセンター、ＤＩＹショップ、インターネットショップなどの販売業者が、壁紙の糊付け面が乾燥しないように、フィルムが糊付け面に貼り付けられた状態の貼着壁紙体を、ロール形状に巻き取るための壁紙糊付巻取機２００である。
【００８２】
このため、特許文献１、特許文献２のように、取り外し不能で、一体化された大型で複雑な構造の巻き取り装置２２４を備えるものである。
【００８３】
従って、内装の施工において、壁紙施工において、新築、リフォームなどの場合に、専門の内装施工業者が、施工現場に専用の壁紙糊付機を持ち込んで、壁紙糊付機を用いて壁紙の裏面に糊付けをして、施工する場合には、特許文献１、特許文献２のような構造の壁紙糊付巻取機２００では、複雑な構成で、高価であり、しかも、大型で重量も大きく、運搬性能に劣ることになる。
【００８４】
このため、このような内装施工業者が、施工現場に専用の壁紙糊付機を持ち込んで壁紙施工するには不向きである。
【００８５】
また、特許文献１、特許文献２の壁紙糊付巻取機２００では、壁紙Ｇと、乾燥防止用フィルムＢと、カットテープＣを貼り付けした後に、巻き取り装置２２４で壁紙Ｇをロール形状に巻き取るだけであるので、糊付け面にフィルムを貼着し、糊山を物理的に潰すなどの対策が不十分である。
【００８６】
このため、壁紙と糊の種類によっては、壁紙の裏面に塗布した糊山が、厚みの薄い壁紙では、壁紙の表面側に現れて、糊跡などが発生して、施工不具合、すなわち、仕上がりが悪くなってしまう。
【００８７】
このため、糊付け面にフィルムを貼着し、糊山を物理的に潰すなどの対策が必要になる。
【００８８】
本発明は、このような現状に鑑み、壁紙（クロス）の裏面に、例えば、天井、壁面に貼着するための糊を、自動的に塗布し、壁紙の糊付け面が乾燥しないように、ならびに、糊皺を防止するために、フィルムが糊付け面に貼り付けられた状態であって、フィルムにテンションを掛けて、フィルムのシワが発生しない貼着壁紙体を作製するための自動壁紙糊付機のためのフィルム貼着装置を提供することを目的とする。
【００８９】
また、本発明は、このような現状に鑑み、壁紙施工の際に、専門の内装施工業者が、施工現場に持ち込む汎用タイプの自動壁紙糊付機に、追加で脱着自在に取り付け可能で、糊付けした壁紙にフィルムを貼り付け、巻き取ることにより、壁紙を折り畳むことなく、保管または運搬できる簡易な自動壁紙糊付機のための巻き取り装置、ならびに、巻き取り装置を備えた自動壁紙糊付機を提供することを目的とする。
【００９０】
また、本発明は、フィルムが糊付け面に貼り付けられた状態の貼着壁紙体を、ロール形状に巻き取る際に、フィルムにテンションを掛けて、フィルムをシワなく巻き取り、壁紙をフィルムに貼り付けた後に、貼着壁紙体に対して、追加でテンションを掛けて、フィルムと壁紙とが、隙間なく接着できる自動壁紙糊付機のための巻き取り装置、ならびに、巻き取り装置を備えた自動壁紙糊付機を提供することを目的とする。
【００９１】
さらに、本発明は、自動壁紙糊付機のカッターガイドを用いた壁紙を切断するための壁紙切断位置Ｘと、追加で脱着自在に取り付けた巻き取り装置の部分に、新たにフィルムを切断するためのフィルム切断位置Ｙを設けて、異なる位置において、壁紙の切断と、フィルムの切断が可能な自動壁紙糊付機のための巻き取り装置、ならびに、巻き取り装置を備えた自動壁紙糊付機を提供することを目的とする。
【課題を解決するための手段】
【００９２】
本発明は、前述したような従来技術における課題及び目的を達成するために発明されたものであって、本発明の自動壁紙糊付機のためのフィルム貼着装置は、
壁紙糊付機本体で、壁紙の裏面に、糊を自動的に塗布し、壁紙の糊付け面が乾燥しないように、フィルムが糊付け面に貼り付けられた状態の貼着壁紙体を作製するための自動壁紙糊付機のためのフィルム貼着装置であって、
ロール形状に巻かれたフィルム送り出し装置から送り出されたフィルムと、壁紙糊付機本体で、壁紙の裏面に、糊が自動的に塗布された糊付き壁紙とが、
前記壁紙糊付機本体の下方の位置において、フィルムに対して壁紙の糊付け面を貼着するフィルム貼着位置が備えられ、フィルム貼着位置で貼着壁紙体を作製するように構成されていることを特徴とする。
【００９３】
このように構成することによって、ロール形状に巻かれたフィルム送り出し装置から送り出されたフィルムと、壁紙糊付機本体で、壁紙の裏面に、糊が自動的に塗布された糊付き壁紙とが、壁紙糊付機本体の下方のフィルム貼着位置で、貼着壁紙体を作製する。
【００９４】
従って、壁紙（クロス）の裏面に、例えば、天井、壁面に貼着するための糊を、自動的に塗布し、壁紙の糊付け面が乾燥しないように、ならびに、糊皺を防止するために、フィルムが糊付け面に貼り付けられた状態であって、フィルムにテンションを掛けて、フィルムのシワが発生しない貼着壁紙体を作製することができる。
【００９５】
また、本発明の自動壁紙糊付機のためのフィルム貼着装置は、前記フィルム貼着位置が、壁紙を切断するための壁紙切断位置Ｘの下方に位置するように構成されていることを特徴とする。
【００９６】
このように構成することによって、フィルム貼着位置が、壁紙を切断するための壁紙切断位置Ｘの下方に位置するので、壁紙切断位置Ｘで切断された壁紙を、壁紙切断位置Ｘの下方において、確実にフィルムの貼着でき、しかも、フィルムにテンションを掛けた状態で、壁紙をフィルムに貼着でき、フィルムのシワが発生しない貼着壁紙体を作製することができる。
【００９７】
また、本発明の自動壁紙糊付機のためのフィルム貼着装置は、
前記フィルム貼着位置が、
ロール形状に巻かれたフィルム送り出し装置から送り出されたフィルムを案内する第１のテンション部材、または、その下流側に備えられ、
前記第１のテンション部材を通過する際に、フィルムに対して壁紙の糊付け面を貼着するように構成されていることを特徴とする。
【００９８】
このように構成することによって、ロール形状に巻かれたフィルム送り出し装置から送り出されたフィルムを案内する第１のテンション部材によって、フィルムにテンションを掛けて、フィルムをシワなく作製することができる。
【００９９】
そして、第１のテンション部材を通過する際に、フィルムに対して壁紙の糊付け面を貼着するように構成されている。
【０１００】
これにより、糊付け面にフィルムを貼着し、糊山を物理的に潰すことができ、厚みの薄い壁紙でも、糊山が、壁紙の表面側に現れることなく、糊跡などが発生せず、しかも、乾燥が均一であり、施工が良好で、仕上がりが綺麗になる。
【０１０１】
また、本発明の自動壁紙糊付機のためのフィルム貼着装置は、
前記フィルムが糊付け面に貼り付けられた状態の貼着壁紙体を案内する第２のテンション部材を備え、
前記貼着壁紙体が第２のテンション部材を通過する際に、フィルムに対して壁紙の糊付け面の貼着状態の密着が促進されるように構成されていることを特徴とする。
【０１０２】
このように構成することによって、フィルムが糊付け面に貼り付けられた状態の貼着壁紙体を案内する第２のテンション部材を備えているので、貼着壁紙体が第２のテンション部材を通過する際に、フィルムに対して壁紙の糊付け面の貼着状態の密着が促進される。
【０１０３】
従って、壁紙をフィルムに貼り付けた後に、貼着壁紙体に対して、第２のテンション部材によって、追加でテンションを掛けて、フィルムと壁紙とが、隙間なく接着できる。
【０１０４】
これにより、糊付け面にフィルムを貼着し、糊山を物理的に潰すことができ、厚みの薄い壁紙でも、糊山が、壁紙の表面側に現れることなく、糊跡などが発生せず、しかも、乾燥が均一であり、施工が良好で、仕上がりが綺麗になる。
【０１０５】
また、本発明の自動壁紙糊付機のための巻き取り装置は、
壁紙糊付機本体で、壁紙の裏面に、糊を自動的に塗布し、壁紙の糊付け面が乾燥しないように、フィルムが糊付け面に貼り付けられた状態の貼着壁紙体を、ロール形状に巻き取るための自動壁紙糊付機のための巻き取り装置であって、
前記巻き取り装置が、自動壁紙糊付機に対して脱着自在に装着可能に構成されていることを特徴とする。
【０１０６】
このように構成することによって、巻き取り装置が、自動壁紙糊付機に対して脱着自在に装着可能に構成されているので、壁紙施工の際に、専門の内装施工業者が、施工現場に持ち込む汎用タイプの自動壁紙糊付機に、追加で脱着自在に取り付け可能で、糊付けした壁紙にフィルムを貼り付け、巻き取ることにより、壁紙を折り畳むことなく、保管または運搬できる簡易な自動壁紙糊付機のための巻き取り装置、ならびに、巻き取り装置を備えた自動壁紙糊付機を提供することができる。
【０１０７】
また、本発明の自動壁紙糊付機のための巻き取り装置は、
ロール形状に巻かれたフィルム送り出し装置から送り出されたフィルムを案内する第１のテンション部材を備え、
前記第１のテンション部材を通過する際に、フィルムに対して壁紙の糊付け面を貼着するように構成され、
前記フィルムが糊付け面に貼り付けられた状態の貼着壁紙体を案内する第２のテンション部材を備え、
前記貼着壁紙体が第２のテンション部材を通過する際に、フィルムに対して壁紙の糊付け面の貼着状態の密着が促進されるように構成され、
前記第２のテンション部材を通過した貼着壁紙体が、巻き取り機構に巻き取られるように構成したことを特徴とする。
【０１０８】
このように構成することによって、ロール形状に巻かれたフィルム送り出し装置から送り出されたフィルムを案内する第１のテンション部材によって、フィルムにテンションを掛けて、フィルムをシワなく巻き取ることができる。
【０１０９】
そして、第１のテンション部材を通過する際に、フィルムに対して壁紙の糊付け面を貼着するように構成されている。
【０１１０】
また、フィルムが糊付け面に貼り付けられた状態の貼着壁紙体を案内する第２のテンション部材を備えているので、貼着壁紙体が第２のテンション部材を通過する際に、フィルムに対して壁紙の糊付け面の貼着状態の密着が促進される。
【０１１１】
そして、第２のテンション部材を通過した貼着壁紙体が、巻き取り機構に巻き取られるように構成されている。
【０１１２】
従って、壁紙をフィルムに貼り付けた後に、貼着壁紙体に対して、第２のテンション部材によって、追加でテンションを掛けて、フィルムと壁紙とが、隙間なく接着できる。
【０１１３】
これにより、糊付け面にフィルムを貼着し、糊山を物理的に潰すことができ、厚みの薄い壁紙でも、糊山が、壁紙の表面側に現れることなく、糊跡などが発生せず、しかも、乾燥が均一であり、施工が良好で、仕上がりが綺麗になる。
【０１１４】
また、本発明の自動壁紙糊付機のための巻き取り装置は、
前記巻き取り機構が、
前記第２のテンション部材を通過した貼着壁紙体を巻き取るための巻取軸と、
前記巻取軸に対して平行に付設された補助巻取軸とを備えることを特徴とする。
【０１１５】
このように構成することによって、第２のテンション部材を通過した貼着壁紙体を巻き取るための巻取軸を回転することによって、この巻取軸の回転と従動して、補助巻取軸が巻取軸の回転軸を中心として、大きく偏心して回転することになる。
【０１１６】
これにより、一定のテンションが負荷された状態で、貼着壁紙体を巻き取ることができ、シワなど発生せず、貼着壁紙体を巻き取ることができるので、施工が良好で、仕上がりが綺麗になる。
【０１１７】
また、本発明の自動壁紙糊付機のための巻き取り装置は、
前記巻き取り機構が、
前記巻取軸と補助巻取軸を保持する脱着自在な端部ブラケット部材を備え、
前記端部ブラケット部材を取り外して、前記巻取軸と補助巻取軸との離間距離を短くすることによって、巻き取られた貼着壁紙体を巻取軸と補助巻取軸から取り外すことができるように構成されていることを特徴とする。
【０１１８】
このように構成することによって、巻取軸と補助巻取軸を保持する脱着自在な端部ブラケット部材を取り外して、巻取軸と補助巻取軸との離間距離を短くすることによって、巻き取られた貼着壁紙体を巻取軸と補助巻取軸から取り外すことができる。
【０１１９】
従って、貼着壁紙体の巻き取り、取り外しが簡単に可能で、例えば、マンションなどの広い場所を壁紙施工する際に、迅速に多くの貼着壁紙体を得ることができ、壁紙施工効率が向上することになる。
【０１２０】
また、本発明の自動壁紙糊付機のための巻き取り装置は、前記補助巻取軸が、巻取軸に比較して剛性の小さな材料から構成されていることを特徴とする。
【０１２１】
このように構成することによって、補助巻取軸が、巻取軸に比較して剛性の小さな材料から構成されているので、巻取軸と補助巻取軸を保持する脱着自在な端部ブラケット部材を取り外して、剛性の小さな材料から構成されている補助巻取軸を撓ませて、巻取軸と補助巻取軸との離間距離を短くすることができ、巻き取られた貼着壁紙体を巻取軸と補助巻取軸からより容易に取り外すことができる。
【０１２２】
従って、貼着壁紙体の巻き取り、取り外しが簡単に可能で、例えば、マンションなどの広い場所を壁紙施工する際に、迅速に多くの貼着壁紙体をより容易に得ることができ、壁紙施工効率が向上することになる。
【０１２３】
また、本発明の自動壁紙糊付機のための巻き取り装置は、前記巻取軸の外径が、３〜１０ｍｍの範囲に設定されていることを特徴とする。
【０１２４】
このように、巻取軸の外径として、３〜１０ｍｍの範囲、より好ましくは、４〜８ｍｍ、さらに好ましくは、６ｍｍ程度にするのが望ましい。
このような範囲とすることによって、巻取軸の剛性が保たれ、巻取軸と補助巻取軸を保持する脱着自在な端部ブラケット部材を取り外して、剛性の小さな材料から構成されている補助巻取軸を撓ませて、巻取軸と補助巻取軸との離間距離を容易に短くすることができる。
【０１２５】
また、本発明の自動壁紙糊付機のための巻き取り装置は、前記巻取軸と補助巻取軸との間の距離が、２０ｍｍ〜６０ｍｍの範囲に設定されていることを特徴とする。
【０１２６】
このように、巻取軸と補助巻取軸との間の距離が、２０ｍｍ〜６０ｍｍの範囲に設定するのが望ましい。
この場合、巻き取り効率を考慮すれば、巻取軸と補助巻取軸との間の距離はできるだけ、大きく設定するのが望ましいが、最終的に巻き取られる貼着壁紙体の巻き取り直径に応じて、適宜選択すれば良い。
【０１２７】
また、本発明の自動壁紙糊付機のための巻き取り装置は、
前記巻き取り機構が、
前記第２のテンション部材を通過した貼着壁紙体を巻き取るための巻取軸を備え、
前記巻取軸が、径の大きさが変更可能なように構成されていることを特徴とする。
【０１２８】
このように構成することによって、巻取軸が、径の大きさが変更可能なように構成されているので、巻き取りの際には、巻取軸の径を拡径して、シワなく貼着壁紙体を巻取軸に巻き取ることができる。
【０１２９】
そして、巻取軸の径を縮径して、巻き取られた貼着壁紙体を巻取軸から容易に取り外すことができる。
【０１３０】
従って、貼着壁紙体の巻き取り、取り外しが簡単に可能で、例えば、マンションなどの広い場所を壁紙施工する際に、迅速に多くの貼着壁紙体を得ることができ、壁紙施工効率が向上することになる。
【０１３１】
また、本発明の自動壁紙糊付機のための巻き取り装置は、
前記巻き取り機構が、
前記巻取軸を保持する脱着自在な端部ブラケット部材を備え、
前記端部ブラケット部材を取り外して、前記巻取軸の径を縮径することによって、巻き取られた貼着壁紙体を巻取軸から取り外すことができるように構成されていることを特徴とする。
【０１３２】
このように構成することによって、巻取軸が、径の大きさが変更可能なように構成されているので、巻き取りの際には、巻取軸の径を拡径して、シワなく貼着壁紙体を巻取軸に巻き取ることができる。
【０１３３】
そして、巻取軸を保持する脱着自在な端部ブラケット部材を取り外して、巻取軸の径を縮径して、巻き取られた貼着壁紙体を巻取軸から容易に取り外すことができる。
【０１３４】
従って、貼着壁紙体の巻き取り、取り外しが簡単に可能で、例えば、マンションなどの広い場所を壁紙施工する際に、迅速に多くの貼着壁紙体を得ることができ、壁紙施工効率が向上することになる。
【０１３５】
また、本発明の自動壁紙糊付機のための巻き取り装置は、
前記第２のテンション部材が、第１のテンション部材よりも下方の位置に配置されるとともに、
前記第２のテンション部材の中心Ｑが、第１のテンション部材の中心Ｐの鉛直方向よりも巻き取り側に位置するように構成されていることを特徴とする。
【０１３６】
このように構成することによって、第２のテンション部材が、第１のテンション部材よりも下方の位置に配置されるとともに、第２のテンション部材の中心Ｑが、第１のテンション部材の中心Ｐの鉛直方向よりも巻き取り側に位置するように構成されているので、一定のテンションが負荷された状態で、貼着壁紙体を巻き取ることができ、シワなど発生せず、貼着壁紙体を巻き取ることができる。
【０１３７】
従って、第２のテンション部材によって、追加でテンションを掛けて、フィルムと壁紙とが、隙間なく接着できる。
【０１３８】
これにより、糊付け面にフィルムを貼着し、糊山を物理的に潰すことができ、厚みの薄い壁紙でも、糊山が、壁紙の表面側に現れることなく、糊跡などが発生せず、しかも、乾燥が均一であり、施工が良好で、仕上がりが綺麗になる。
【０１３９】
また、本発明の自動壁紙糊付機のための巻き取り装置は、
前記第２のテンション部材が、複数個設けられ、上下方向に千鳥形状に設けられていることを特徴とする。
【０１４０】
このように構成することによって、第２のテンション部材が、複数個設けられ、上下方向に千鳥形状に設けられているので、これらの上下方向に千鳥形状に設けられた複数個の第２のテンション部材を、貼着壁紙体が通過する際に、フィルムに対して壁紙の糊付け面の貼着状態の密着が促進される。
【０１４１】
そして、これらの第２のテンション部材を通過した貼着壁紙体が、巻き取り機構に巻き取られるように構成されている。
【０１４２】
従って、壁紙をフィルムに貼り付けた後に、貼着壁紙体に対して、これらの複数個の第２のテンション部材によって、追加でテンションを掛けて、フィルムと壁紙とが、隙間なく接着できる。
【０１４３】
これにより、糊付け面にフィルムを貼着し、糊山を物理的に潰すことができ、厚みの薄い壁紙でも、糊山が、壁紙の表面側に現れることなく、糊跡などが発生せず、しかも、乾燥が均一であり、施工が良好で、仕上がりが綺麗になる。
【０１４４】
また、本発明の自動壁紙糊付機のための巻き取り装置は、
前記壁紙を切断するための壁紙切断位置Ｘと、前記フィルムを切断するためのフィルム切断位置Ｙとが、異なる位置に位置するように構成されていることを特徴とする。
【０１４５】
このように構成することによって、自動壁紙糊付機のカッターガイドを用いた壁紙を切断するための壁紙切断位置Ｘと、追加で脱着自在に取り付けた巻き取り装置の部分に、新たにフィルムを切断するためのフィルム切断位置Ｙを設けて、異なる位置において、壁紙の切断と、フィルムの切断が可能である。
【０１４６】
従って、例えば、所定の長さの壁紙に糊付けした後に、壁紙切断位置Ｘで壁紙を切断し、この状態で、巻き取り装置で貼着壁紙体を巻き取ることによって、巻き取られた貼着壁紙体に対して、少なくとも１周分フィルムを巻き付けることができる。
【０１４７】
そして、この状態で、フィルム切断位置Ｙにおいて、フィルムを切断することができる。
【０１４８】
これにより、巻き取られた壁紙の表面が、フィルムで少なくとも１周分覆われた状態であるので、壁紙の表面が傷付くことがない。
【０１４９】
また、所定の長さの壁紙に糊付けした後に、壁紙切断位置Ｘで壁紙を切断し、巻き取り装置で貼着壁紙体を巻き取ることによって、巻き取られた貼着壁紙体に対して、少なくとも１周分フィルムを巻き付けた後、連続して糊付けした壁紙を再びフィルムに貼着して、貼着壁紙体を巻き取ることができ、これらの連続操作を繰り返した後に、最後にフィルム切断位置Ｙにおいて、フィルムを切断することができる。
【０１５０】
これにより、複数の長さの糊付けした壁紙を貼着した貼着壁紙体を、連続して巻き取ることができる。
【０１５１】
従って、例えば、一部屋分の、例えば、天井、壁面に貼着するために必要な糊付けされた壁紙（ロール形状に巻かれた貼着壁紙体）を複数本効率的に得ることができ、極めて便利である。
【０１５２】
また、本発明の自動壁紙糊付機のための巻き取り装置は、
前記フィルムを切断するためのフィルム切断位置Ｙが、前記第２のテンション部材と巻取軸との間に位置するように構成されていることを特徴とする。
【０１５３】
このように、フィルムを切断するためのフィルム切断位置Ｙが、前記第２のテンション部材と巻取軸との間に位置するように構成されていれば、テンションがかかった状態のフィルムを切断できるので、切断作業が容易である。
【０１５４】
また、本発明は、前述のいずれかに記載の動壁紙糊付機のためのフィルム貼着装置を備えることを特徴とする自動壁紙糊付機である。
【０１５５】
また、本発明は、前述のいずれかに記載の自動壁紙糊付機のための巻き取り装置を備えることを特徴とする自動壁紙糊付機である。
【発明の効果】
【０１５６】
本発明によれば、ロール形状に巻かれたフィルム送り出し装置から送り出されたフィルムと、壁紙糊付機本体で、壁紙の裏面に、糊が自動的に塗布された糊付き壁紙とが、壁紙糊付機本体の下方のフィルム貼着位置で、貼着壁紙体を作製する。
【０１５７】
従って、壁紙（クロス）の裏面に、例えば、天井、壁面に貼着するための糊を、自動的に塗布し、壁紙の糊付け面が乾燥しないように、ならびに、糊皺を防止するために、フィルムが糊付け面に貼り付けられた状態であって、フィルムにテンションを掛けて、フィルムのシワが発生しない貼着壁紙体を作製することができる。
【０１５８】
また、本発明によれば、巻き取り装置が、自動壁紙糊付機に対して脱着自在に装着可能に構成されているので、壁紙施工の際に、専門の内装施工業者が、施工現場に持ち込む汎用タイプの自動壁紙糊付機に、追加で脱着自在に取り付け可能で、糊付けした壁紙にフィルムを貼り付け、巻き取ることにより、壁紙を折り畳むことなく、保管または運搬できる簡易な自動壁紙糊付機のための巻き取り装置、ならびに、巻き取り装置を備えた自動壁紙糊付機を提供することができる。
【０１５９】
また、本発明によれば、ロール形状に巻かれたフィルム送り出し装置から送り出されたフィルムを案内する第１のテンション部材によって、フィルムにテンションを掛けて、フィルムをシワなく巻き取ることができる。
【０１６０】
そして、第１のテンション部材を通過する際に、フィルムに対して壁紙の糊付け面を貼着するように構成されている。
【０１６１】
また、フィルムが糊付け面に貼り付けられた状態の貼着壁紙体を案内する第２のテンション部材を備えているので、貼着壁紙体が第２のテンション部材を通過する際に、フィルムに対して壁紙の糊付け面の貼着状態の密着が促進される。
【０１６２】
そして、第２のテンション部材を通過した貼着壁紙体が、巻き取り機構に巻き取られるように構成されている。
【０１６３】
従って、壁紙をフィルムに貼り付けた後に、貼着壁紙体に対して、第２のテンション部材によって、追加でテンションを掛けて、フィルムと壁紙とが、隙間なく接着できる。
【０１６４】
これにより、糊付け面にフィルムを貼着し、糊山を物理的に潰すことができ、厚みの薄い壁紙でも、糊山が、壁紙の表面側に現れることなく、糊跡などが発生せず、しかも、乾燥が均一であり、施工が良好で、仕上がりが綺麗になる。
【０１６５】
また、本発明によれば、自動壁紙糊付機のカッターガイドを用いた壁紙を切断するための壁紙切断位置Ｘと、追加で脱着自在に取り付けた巻き取り装置の部分に、新たにフィルムを切断するためのフィルム切断位置Ｙを設けて、異なる位置において、壁紙の切断と、フィルムの切断が可能である。
【０１６６】
従って、例えば、所定の長さの壁紙に糊付けした後に、壁紙切断位置Ｘで壁紙を切断し、この状態で、巻き取り装置で貼着壁紙体を巻き取ることによって、巻き取られた貼着壁紙体に対して、少なくとも１周分フィルムを巻き付けることができる。
【０１６７】
そして、この状態で、フィルム切断位置Ｙにおいて、フィルムを切断することができる。
【０１６８】
これにより、巻き取られた壁紙の表面が、フィルムで少なくとも１周分覆われた状態であるので、壁紙の表面が傷付くことがない。
【０１６９】
また、所定の長さの壁紙に糊付けした後に、壁紙切断位置Ｘで壁紙を切断し、巻き取り装置で貼着壁紙体を巻き取ることによって、巻き取られた貼着壁紙体に対して、少なくとも１周分フィルムを巻き付けた後、一定間隔離間して連続して糊付けした壁紙を再びフィルムに貼着して、貼着壁紙体を巻き取ることができ、これらの連続操作を繰り返した後に、最後にフィルム切断位置Ｙにおいて、フィルムを切断することができる。
【０１７０】
これにより、複数の長さの糊付けした壁紙を貼着した貼着壁紙体を、連続して巻き取ることができる。
【０１７１】
従って、例えば、一部屋分の、例えば、天井、壁面に貼着するために必要な糊付けされた壁紙（ロール形状に巻かれた貼着壁紙体）を複数本効率的に得ることができ、極めて便利である。
【図面の簡単な説明】
【０１７２】
【図１】図１は、本発明の自動壁紙糊付機１０のための巻き取り装置１００を取り外した状態を説明する自動壁紙糊付機１０の斜視図である。
【図２】図２は、図１の自動壁紙糊付機のＡ−Ａ方向の概略断面図である。
【図３】図３は、本発明の自動壁紙糊付機１０のための巻き取り装置１００を取り付けた状態を説明する自動壁紙糊付機１０の正面図である。
【図４】図４は、図３の自動壁紙糊付機１０の上面図である。
【図５】図５は、図３の自動壁紙糊付機１０のＮ方向の側面図である。
【図６】図６は、本発明の自動壁紙糊付機１０のための巻き取り装置１００を説明する図５の部分拡大図である。
【図７】図７は、図６の部分拡大図である。
【図８】図８は、別の実施例の第２のテンション部材１２４の配置を示す概略図である。
【図９】図９は、本発明の別の実施例の自動壁紙糊付機１０のための巻き取り装置１００を取り付けた状態を説明する自動壁紙糊付機１０の正面図である。
【図１０】図１０は、図９の自動壁紙糊付機１０の上面図である。
【図１１】図１１は、図９の自動壁紙糊付機１０のＮ方向の側面図である。
【図１２】図１２は、本発明の自動壁紙糊付機１０のための巻き取り装置１００を説明する図１０の部分拡大図である。
【図１３】図１３は、図１２のＥ―Ｅ方向の概略図であり、図１３（Ａ）は、巻取軸１３２の径を拡径して、貼着壁紙体Ｔを巻取軸１３２に巻き取る状態を説明する概略図、図１３（Ｂ）は、巻取軸１３２の径を縮径して、巻き取られた貼着壁紙体Ｔを巻取軸１３２から取り外す状態を説明する概略図である。
【図１４】図１４は、自動壁紙糊付機１０の第２のテンション部材１２４の配置を示す概略図である。
【図１５】図１５は、特許文献１の壁紙糊付巻取機２００の側面図である。である。
【図１６】図１６は、図１５の壁紙糊付巻取機２００の壁紙Ｇ、乾燥防止用フィルムＢ、カットテープＣのセット手順を説明する側面図である。
【図１７】図１７は、特許文献２の壁紙糊付巻取機２００の側面図である。
【図１８】図１８は、図１７の特許文献２の壁紙糊付巻取機２００の壁紙Ｇ、乾燥防止用フィルムＢ、カットテープＣのセット手順を説明する側面図である。
【発明を実施するための形態】
【０１７３】
以下、本発明の実施の形態（実施例）を図面に基づいてより詳細に説明する。
（実施例１）
【０１７４】
図１は、本発明の自動壁紙糊付機１０のための巻き取り装置１００を取り外した状態を説明する自動壁紙糊付機１０の斜視図、図２は、図１の自動壁紙糊付機のＡ−Ａ方向の概略断面図、図３は、本発明の自動壁紙糊付機１０のための巻き取り装置１００を取り付けた状態を説明する自動壁紙糊付機１０の正面図、図４は、図３の自動壁紙糊付機１０の上面図、図５は、図３の自動壁紙糊付機１０のＮ方向の側面図、図６は、本発明の自動壁紙糊付機１０のための巻き取り装置１００を説明する図５の部分拡大図、図７は、図６の部分拡大図、図８は、別の実施例の第２のテンション部材１２４の配置を示す概略図である。
【０１７５】
図１〜図２において、符号１０は、全体で本発明の自動壁紙糊付機を示している。
【０１７６】
図１に示したように、図１〜図２に示したように、自動壁紙糊付機１０は、壁紙糊付機本体１２を備えている。また、壁紙糊付機本体１２は、上部が開放して糊付される壁紙の搬送を見ることができる状態の略箱体形状の本体フレーム１４を備えている。さらに、本体フレーム１４の左右の側部の両端には、下方に固定された一対の脚部フレーム１６を備えている。
【０１７７】
この本体フレーム１４は、図２に示したように、上部フレーム１８と、下部フレーム２０とから構成されている。そして、上部フレーム１８の上部には、左右方向に離間して配置された一対の把手１８ｃを備えている。
【０１７８】
この把手１８ｃを把持して操作することによって、後述するように、壁紙Ｇを壁紙糊付機本体１２に配置したり、メンテナンスのために、下部フレーム２０に対して、図示しないピボット軸を回動中心として、図１〜図２の矢印Ｉで示したように、開閉可能なように構成されている。
【０１７９】
なお、図２に示したように、上部フレーム１８と、下部フレーム２０には、上部フレーム１８を下部フレーム２０に対して閉じた状態で固定するために、例えば、いわゆる「パチン錠」などの係止具２２が設けられている。
【０１８０】
また、上部フレーム１８は、左右の側部を構成する、側板部１８ａ、１８ｂを備えている。
【０１８１】
一方、図１に示したように、脚部フレーム１６の下端には、係止可能なローラー２４が設けられており、これにより、自動壁紙糊付機１０を所望の位置に移動、配置することが可能になっている。
【０１８２】
さらに、図１に示したように、下部フレーム２０は、左右の側部を構成する、側板部２０ａ、２０ｂを備えている。この下部フレーム２０の一方の側板部２０ａには、歯車連結機構などの駆動装置を内蔵するとともに、自動壁紙糊付機１０を制御するための制御装置や駆動モーターが内蔵された駆動部２６が設けられている。
【０１８３】
また、この駆動部２６の下流側、すなわち、図１において手前側には、測定された壁紙の長さ（測長結果）を表示したり、駆動モーターを駆動制御したり、壁紙Ｇの種類などの情報を入力するための表示・操作パネル部２８が設けられている。なお、この駆動部２６は、下部フレーム２０の一方の側板部２０ａに脱着自在に構成されているか、または、固着されている。
【０１８４】
さらに、図１〜図２に示したように、一対の脚部フレーム１６には、壁紙Ｇが巻かれた壁紙原反ロール３２を回転可能に、かつ、脱着自在に装着するための原反装着架台３４が設けられている。
【０１８５】
そして、図２に示したように、壁紙原反ロール３２から送り出された壁紙Ｇは、下部フレーム２０の上流側に、すなわち、図２において左側に、スリット部３５に送り出されるようになっている。
【０１８６】
壁紙Ｇは、このスリット部３５のテンションバー３６を経て、ガイド板３８で案内された後、裁断部４０で、壁紙の不要な耳部が切断されるように構成されている。すなわち、裁断部４０は、一対の回転する上刃４２と下刃４４から構成されており、これらの上刃４２と下刃４４の間を通過することによって、壁紙Ｇの両端の耳部が切断され、壁紙が一定幅となるようになっている。
【０１８７】
また、上刃４２と下刃４４の位置を調整して、壁紙Ｇの裁断幅を所望の寸法に調整できるようになっている。
【０１８８】
このスリット部３５を通過した壁紙Ｇは、下部フレーム２０の左右の側板部２０ａ、２０ｂの間で固定された下部ステー４６に、壁紙Ｇの裏面ＧＢが接触するように案内されて、送り出しローラー４８と、検尺ローラー５０との間に挟持されるように搬送される。
【０１８９】
なお、送り出しローラー４８の回転によって壁紙を搬送する際に、壁紙Ｇの滑りを少なくするために、壁紙Ｇの一定の長さ分を、送り出しローラー４８に巻き付けている。
【０１９０】
また、送り出しローラー４８は、下部フレーム２０の左右の側板部２０ａ、２０ｂに回転可能に装着されているとともに、図示しない、複数の歯車機構を介して、駆動部２６の駆動モーターの駆動が伝達されるように構成されている。
【０１９１】
また、図２に示したように、検尺ローラー５０の回転軸５２が、検尺ローラーアーム５４の先端側に回転可能に装着されている。そして、検尺ローラーアーム５４の基端側のアーム支点５６が、自動壁紙糊付機１０の上部フレーム１８の左右の側板部１８ａ、１８ｂに回動可能に装着されている。
【０１９２】
これにより、図２の矢印Ｌで示したように、検尺ローラーアーム５４が、アーム支点５６を回動中心として回動可能に構成されている。
【０１９３】
そして、壁紙Ｇの裏面ＧＢが、送り出しローラー４８に当接するとともに、検尺ローラー５０が、壁紙Ｇの表面ＧＡに当接して、送り出しローラー４８により搬送される壁紙Ｇに従動して回転するように構成されている。
【０１９４】
また、図２に示したように、検尺ローラーアーム５４には、検尺ローラー５０と送り出しローラー４８との圧接力を微調整するために、自動壁紙糊付機１０の上部フレーム１８に装着された調整装置５８が連結されている。
【０１９５】
すなわち、この調整装置５８には、バネ６０が介装されており、このバネ６０をバネ調整ネジ６２で調整することによって、検尺ローラー５０が送り出しローラー４８ーに圧接する圧接力を微調整することができるようになっている。なお、この調整装置５８は、検尺ローラー５０の回転軸５２の軸方向の両端側に２つ設けられており、これにより、壁紙Ｇが蛇行しないように調整されるようになっている。
【０１９６】
また、図２に示したように、検尺ローラー５０の回転軸５２の端部には、複数の外周方向に突設するスリット板６４が設けられている。また、検尺ローラーアーム５４には、このスリット板６４と対峙するように、フォトマイクロセンサー６６が設けられている。
【０１９７】
このフォトマイクロセンサー６６からの赤外線を、検尺ローラー５０の回転軸５２が回転することにより、スリット板６４の凹凸が、投光または遮光して、検尺パルスが発生する。これによって、検尺ローラー５０の回転に応じて、搬送される壁紙Ｇの長さを測定することができるようになっている。
【０１９８】
すなわち、例えば、検尺パルスの１周期（山＋谷）が壁紙Ｇの長さ１．０ｃｍで、山１個、または、谷１個が、０．５ｃｍとしている。
【０１９９】
そして、糊付け作業者によって、糊を付けて排出する壁紙の長さが、３００ｃｍに設定された場合、自動壁紙糊付機１０の駆動部２６の制御部は、後述する複数のローラーを回転させた瞬間から、検尺パルスを計数し、検尺パルスを３００周期分計数すると、複数のローラーの回転を停止するようになっている。これにより、長さ３００ｃｍの壁紙Ｇが排出されるように構成されている。
【０２００】
このように、送り出しローラー４８と、検尺ローラー５０との間に挟持されるように搬送された壁紙Ｇは、図２に示したように、壁紙Ｇの裏面ＧＢに対して、糊を塗布する糊付装置６８に搬送される。
【０２０１】
この糊付装置６８では、壁紙Ｇの表面ＧＡが、ハイテンションローラー７０に当接するように壁紙Ｇが通過するとともに、壁紙Ｇの裏面ＧＢが、糊付ローラー７２と接触するように構成されている。
【０２０２】
また、図２に示したように、糊付ローラー７２と接触するように、糊付ローラー７２の下方側に、糊上ローラー７４が設けられており、図示しない糊収容タンク（糊箱）に収容した糊を糊上ローラー７４から、糊付ローラー７２に転写するように構成されている。
【０２０３】
また、糊付ローラー７２の上流側には、糊付ローラー７２と当接するように、ドクターローラー７６が設けられている。このドクターローラー７６と糊付ローラー７２との間の距離を調整することによって、糊付ローラー７２から壁紙Ｇに転写する糊の厚さ（量）が、所定の厚さになるように調整するように構成されている。
なお、糊上ローラー７４から糊付ローラー７２への転写厚さの調整は、糊上ローラー７４と糊付ローラー７２との間隔を調整することによって行われる。
【０２０４】
さらに、糊付ローラー７２の下流側には、押えローラー７８が設けられており、押えローラー７８が、壁紙Ｇの表面ＧＡと当接するように構成されている。
【０２０５】
また、押えローラー７８の下流側には、壁紙Ｇの裏面ＧＢと当接するナラシローラー８０が設けられている。
【０２０６】
なお、ハイテンションローラー７０と押えローラー７８は、それぞれ上部フレーム１８の左右の側板部１８ａ、１８ｂに回動可能に装着されている。一方、糊付ローラー７２、ドクターローラー７６、および、ナラシローラー８０は、それぞれ下部フレーム２０の左右の側板部２０ａ、２０ｂに回動可能に装着されている。
【０２０７】
糊上ローラー７４は、図示しない糊収容タンク（糊箱）に回動可能に装着されている。また、糊収容タンク（糊箱）は、壁紙糊付機本体１２に脱着可能に設けられている。
【０２０８】
従って、図１〜図２の矢印Ｉで示したように、上部フレーム１８の把手１８ｃを把持して操作することによって、下部フレーム２０に対して、ピボット軸を回動中心として開く。これによって、上部フレーム１８に装着されたハイテンションローラー７０と押えローラー７８が、上部フレーム１８とともに上方に移動する。
【０２０９】
これにより、壁紙Ｇを壁紙糊付機本体１２（糊付ローラー７２、ナラシローラー８０など）に配置したり、メンテナンスすることができるようになっている。
【０２１０】
このように構成される糊付装置６８では、送り出しローラー４８と、検尺ローラー５０との間に挟持されるように搬送された壁紙Ｇは、ハイテンションローラー７０と押えローラー７８によって、糊付ローラー７２に対して、所定のテンションで接触するように構成されている。
【０２１１】
そして、図示しない糊収容タンク（糊箱）に収容した糊が、糊上ローラー７４から、糊付ローラー７２に転写される。その後、ドクターローラー７６により、糊付ローラー７２から壁紙Ｇに転写する糊の厚さ（量）が、所定の厚さになるように調整される。
【０２１２】
そして、糊付ローラー７２によって、壁紙Ｇの裏面ＧＢに糊が塗布された後、ナラシローラー８０によって、均一の厚さになるように処理される。
【０２１３】
その後、ナラシローラー８０によって、均一の厚さになるように処理された壁紙Ｇは、ナラシローラー８０の下流側に複数個配置された案内シュート８２、壁紙排出部２９から排出されるように構成されている。
【０２１４】
そして、前述したように、自動壁紙糊付機１０の駆動部２６の制御部は、後述する複数のローラーを回転させた瞬間から、検尺パルスを計数し、検尺パルスを３００周期分計数すると、複数のローラーの回転を停止するようになっている。これにより、例えば、長さ３００ｃｍの壁紙が排出されるように構成されている。
【０２１５】
そして、壁紙の搬送が停止された状態で、糊付け作業者が、別途図示しないが、自動壁紙糊付機１０に設けられた切断装置、または、カッターナイフなどで、壁紙排出部２９から排出され糊付けされた壁紙Ｇを、壁紙を切断するための壁紙切断位置Ｘで、切断するように構成されている。
【０２１６】
また、図３〜図７に示したように、本発明の自動壁紙糊付機１０では、自動壁紙糊付機１０に対して脱着自在に装着可能に構成された巻き取り装置１００を備えている。
【０２１７】
すなわち、本発明の巻き取り装置１００は、一対の前方の脚部フレーム１６ａに脱着自在に装着可能に構成された、断面略Ｕ字形状の一対のブラケット支持部材１０２を備えている。
【０２１８】
すなわち、ブラケット支持部材１０２の基端部１０４は、それぞれ、例えば、蝶ねじなどの締結部材１０６によって、自動壁紙糊付機１０の一対の前方の脚部フレーム１６ａに脱着自在に装着可能に構成されている。
【０２１９】
そして、ブラケット支持部材１０２の前方ブラケット１０５には、ロール形状に巻かれたフィルム原反ロール１０８から、フィルム送り出し装置１１０により送り出されたフィルム（乾燥防止用フィルムＢ、以下、単に「フィルムＢ」と言う）を案内する第１のテンション部材１１２を備えている。
【０２２０】
なお、図５〜図６に示したように、フィルム送り出し装置１１０は、例えば、蝶ねじなどの締結部材１１４によって、自動壁紙糊付機１０の一対の下部の脚部フレーム１６ｂに脱着自在に装着可能な一対の軸受けブラケット部材１１６を備えている。
【０２２１】
この軸受けブラケット部材１１６には、それぞれ、フィルム原反ロール１０８の軸部材１０８ａを、回転可能にかつ脱着自在に軸支することができる切り欠き形状の軸受け部１１８が形成されている。
【０２２２】
そして、第１のテンション部材１１２を通過する際に、フィルムＢに対して壁紙Ｇの糊付け面（壁紙Ｇの裏面ＧＢ）を貼着して、フィルムＢが壁紙Ｇの糊付け面（壁紙Ｇの裏面ＧＢ）に貼り付けられた状態の貼着壁紙体Ｔが構成されるようになっている。
【０２２３】
なお、第１のテンション部材１１２は、例えば、固定の棒状部材、回転ローラーなどから構成されている。なお、フィルムＢの摩耗損傷を防止するためには、回転ローラーから構成するのが望ましい。
【０２２４】
なお、図示しないが、この第１のテンション部材１１２は、ブラケット支持部材１０２の前方ブラケット１０５に脱着自在に装着するように構成することも可能である。これにより、メンテナンス、フィルムＢの巻き付け装着などが容易となる。
【０２２５】
そして、第１のテンション部材１１２を通過する際に、フィルムＢに対して壁紙Ｇの糊付け面（壁紙Ｇの裏面ＧＢ）を貼着するように構成されている。
【０２２６】
なお、図３〜図６に示したように、糊付装置６８の下方に、カットテープＣのカットテープ原反ロール１１１が、繰り出し可能に、かつ、脱着自在に装着されている。
【０２２７】
なお、カットテープＣは、従来から知られている自動壁紙糊付機と同様に、壁紙Ｇの左右の端部に貼り付けすることができるように、左右に一対設けられている。なお、図３では、カットテープＣのカットテープ原反ロール１１１が、一方の端部にのみ設けられた場合を図示している。
【０２２８】
カットテープＣを、ナラシローラー８０に巻くようにして、壁紙Ｇの裏面ＧＢの両端にカットテープＣが貼着された壁紙Ｇが、壁紙糊付機本体１２からナラシローラー８０の下流側に複数個配置された案内シュート８２、壁紙排出部２９から排出されるように構成されている。
【０２２９】
一方、ブラケット支持部材１０２の前方ブラケット１０５には、それぞれ、図６〜図７の拡大図に示したように、略Ｌ字形状の一対の巻き取りブラケット部材１２０が、ピボット軸１２１を介して前後方向（図６、図７の矢印Ｍ方向）に回動可能に連結されている。
【０２３０】
この巻き取りブラケット部材１２０には、ストッパー切り欠き１２０ａが形成されており、このストッパー切り欠き１２０ａに、ブラケット支持部材１０２に配置されたストッパー棒部材１２２を係合することによって固定することができるように構成されている。
【０２３１】
また、第１のテンション部材１１２の下方に位置するように、ブラケット支持部材１０２の前方ブラケット１０５、巻き取りブラケット部材１２０には、フィルムＢが壁紙Ｇの糊付け面（壁紙Ｇの裏面ＧＢ）に貼り付けられた状態の貼着壁紙体Ｔを案内する第２のテンション部材１２４を備えている。
【０２３２】
貼着壁紙体Ｔが第２のテンション部材１２４を通過する際に、フィルムＢに対して壁紙Ｇの糊付け面（壁紙Ｇの裏面ＧＢ）の貼着状態の密着が促進されるように構成されている。
【０２３３】
なお、第２のテンション部材１２４は、第１のテンション部材１１２と同様に、例えば、固定の棒状部材、回転ローラーなどから構成されている。なお、フィルムＢ、壁紙Ｇ（貼着壁紙体Ｔ）の摩耗損傷を防止するためには、回転ローラーから構成するのが望ましい。
【０２３４】
また、図示しないが、第１のテンション部材１１２と同様に、第２のテンション部材１２４は、ブラケット支持部材１０２の前方ブラケット１０５、巻き取りブラケット部材１２０に脱着自在に装着するように構成することも可能である。これにより、メンテナンス、フィルムＢの巻き付け装着などが容易となる。
【０２３５】
一方、図３〜図７に示したように、巻き取りブラケット部材１２０の先端には、第２のテンション部材１２４を通過した貼着壁紙体Ｔを巻き取るための巻き取り機構１２６が備えられている。
【０２３６】
すなわち、巻き取りブラケット部材１２０の先端には、巻き取り軸支持ブラケット１２８が設けられており、この巻き取り軸支持ブラケット１２８に形成された軸支用切り欠き１２８ａに、巻取部材１３０が脱着自在に装着されている。
【０２３７】
この巻取部材１３０は、第２のテンション部材１２４を通過した貼着壁紙体Ｔを巻き取るための巻取軸１３２を備えている。また、巻取軸１３２に対して平行に付設された補助巻取軸１３４を備えている。
【０２３８】
また、巻取軸１３２と補助巻取軸１３４を保持する、例えば、蝶ねじなどの締結部材１２５によって、脱着自在な端部ブラケット部材１３６を備えている。
【０２３９】
これにより、図示しないが、片方の端部ブラケット部材１３６（後述するハンドル部材１３８側）を取り外して、フリー状態となった巻取軸１３２と補助巻取軸１３４との離間距離を短くすることによって、後述するように巻き取られた貼着壁紙体Ｔを、巻取軸１３２と補助巻取軸１３４から取り外すことができるように構成されている。
【０２４０】
また、巻取軸１３２の一方の端部には、ハンドル部材１３８が脱着可能に装着されている。
【０２４１】
これにより、図６〜図７の矢印Ｋ方向にハンドル部材１３８を手動で回転することによって、巻取軸１３２の回転と従動して、補助巻取軸１３４が巻取軸１３２の回転軸を中心として、大きく偏心して回転することになる。
【０２４２】
これにより、一定のテンションが負荷された状態で、貼着壁紙体Ｔを巻き取ることができ、シワなど発生せず、貼着壁紙体Ｔを巻き取ることができるので、施工が良好で、仕上がりが綺麗になる。
【０２４３】
このように構成することによって、巻き取り装置１００が、自動壁紙糊付機１０に対して脱着自在に装着可能に構成されているので、壁紙施工の際に、専門の内装施工業者が、施工現場に持ち込む汎用タイプの自動壁紙糊付機１０に、追加で脱着自在に取り付け可能で、糊付けした壁紙ＧにフィルムＢを貼り付け、貼着壁紙体Ｔを巻き取ることにより、壁紙Ｇを折り畳むことなく、保管または運搬できる簡易な自動壁紙糊付機１０のための巻き取り装置１００、ならびに、巻き取り装置１００を備えた自動壁紙糊付機１０を提供することができる。
【０２４４】
また、ロール形状に巻かれたフィルム原反ロール１０８から、フィルム送り出し装置１１０により送り出されたフィルムＢを案内する第１のテンション部材１１２によって、フィルムＢにテンションを掛けて、フィルムＢをシワなく巻き取ることができる。
【０２４５】
そして、第１のテンション部材１１２を通過する際に、フィルムＢに対して壁紙Ｇの糊付け面（壁紙Ｇの裏面ＧＢ）を貼着するように構成されている。
【０２４６】
また、フィルムＢが壁紙Ｇの糊付け面（壁紙Ｇの裏面ＧＢ）に貼り付けられた状態の貼着壁紙体Ｔを案内する第２のテンション部材１２４を備えているので、貼着壁紙体Ｔが第２のテンション部材１２４を通過する際に、フィルムＢに対して壁紙Ｇの糊付け面（壁紙Ｇの裏面ＧＢ）の貼着状態の密着が促進される。
【０２４７】
そして、第２のテンション部材１２４を通過した貼着壁紙体Ｔが、巻き取り機構１２６に巻き取られるように構成されている。
【０２４８】
従って、壁紙ＧをフィルムＢに貼り付けた後に、貼着壁紙体Ｔに対して、第２のテンション部材１２４によって、追加でテンションを掛けて、フィルムＢと壁紙Ｇとが、隙間なく接着できる。
【０２４９】
これにより、壁紙Ｇの糊付け面（壁紙Ｇの裏面ＧＢ）にフィルムＢを貼着し、糊山を物理的に潰すことができ、厚みの薄い壁紙Ｇでも、糊山が、壁紙Ｇの表面ＧＡ側に現れることなく、糊跡などが発生せず、しかも、乾燥が均一であり、施工が良好で、仕上がりが綺麗になる。
【０２５０】
また、巻取軸１３２と補助巻取軸を保持する脱着自在な端部ブラケット部材を取り外して、巻取軸と補助巻取軸１３４との離間距離を短くすることによって、巻き取られた貼着壁紙体Ｔを巻取軸１３２と補助巻取軸１３４から取り外すことができる。
【０２５１】
従って、貼着壁紙体Ｔの巻き取り、取り外しが簡単に可能で、例えば、マンションなどの広い場所を壁紙施工する際に、迅速に複数本の貼着壁紙体Ｔを得ることができ、壁紙施工効率が向上することになる。
【０２５２】
なお、図７に示したように、第２のテンション部材１２４が、第１のテンション部材１１２よりも下方の位置に配置されるとともに、第２のテンション部材１２４の中心Ｑが、第１のテンション部材の中心Ｐの鉛直方向（鉛直線Ｚ）よりも巻き取り側Ｒに位置するように構成されているのが望ましい。
【０２５３】
このように構成することによって、第２のテンション部材１２４が、第１のテンション部材１１２よりも下方の位置に配置されるとともに、第２のテンション部材１２４の中心Ｑが、第１のテンション部材１１２の中心Ｐの鉛直方向（鉛直線Ｚ）よりも巻き取り側Ｒに位置するように構成されているので、一定のテンションが負荷された状態で、貼着壁紙体Ｔを巻き取ることができ、シワなど発生せず、貼着壁紙体Ｔを巻き取ることができる。
【０２５４】
従って、第２のテンション部材１２４によって、追加でテンションを掛けて、フィルムＢと壁紙Ｇとが、隙間なく接着できる。
【０２５５】
これにより、壁紙Ｇの糊付け面（壁紙Ｇの裏面ＧＢ）にフィルムＢを貼着し、糊山を物理的に潰すことができ、厚みの薄い壁紙Ｇでも、糊山が、壁紙Ｇの表面ＧＡ側に現れることなく、糊跡などが発生せず、しかも、乾燥が均一であり、施工が良好で、仕上がりが綺麗になる。
【０２５６】
また、図８に示したように、第２のテンション部材１２４が、複数個（図８では、２個）設けられ、上下方向に千鳥形状に設けられていても良い。
【０２５７】
このように構成することによって、第２のテンション部材１２４が、複数個設けられ、上下方向に千鳥形状に設けられているので、これらの上下方向に千鳥形状に設けられた複数個の第２のテンション部材１２４を、貼着壁紙体Ｔが通過する際に、フィルムＢに対して壁紙Ｇの糊付け面（壁紙Ｇの裏面ＧＢ）の貼着状態の密着が促進される。
【０２５８】
そして、これらの第２のテンション部材１２４を通過した貼着壁紙体Ｔが、巻き取り機構１２６に巻き取られるように構成されている。
【０２５９】
従って、壁紙ＧをフィルムＢに貼り付けた後に、貼着壁紙体Ｔに対して、これらの複数個の第２のテンション部材１２４によって、追加でテンションを掛けて、フィルムＢと壁紙Ｇとが、隙間なく接着できる。
【０２６０】
これにより、壁紙Ｇの糊付け面（壁紙Ｇの裏面ＧＢ）にフィルムＢを貼着し、糊山を物理的に潰すことができ、厚みの薄い壁紙Ｇでも、糊山が、壁紙Ｇの表面ＧＡ側に現れることなく、糊跡などが発生せず、しかも、乾燥が均一であり、施工が良好で、仕上がりが綺麗になる。
【０２６１】
また、本発明では、図３、図５に示したように、壁紙Ｇを切断するための壁紙切断位置Ｘと、フィルムＢを切断するためのフィルム切断位置Ｙとが、異なる位置に位置するように構成されている。
【０２６２】
このように構成することによって、自動壁紙糊付機１０のカッターガイドを用いた壁紙Ｇを切断するための壁紙切断位置Ｘと、追加で脱着自在に取り付けた巻き取り装置１００の部分に、新たにフィルムを切断するためのフィルム切断位置Ｙを設けて、異なる位置において、壁紙Ｇの切断と、フィルムＢの切断が可能である。
【０２６３】
従って、例えば、所定の長さの壁紙Ｇに糊付けした後に、壁紙切断位置Ｘで壁紙Ｇを切断し、この状態で、巻き取り装置１００で貼着壁紙体Ｔを巻き取ることによって、巻き取られた貼着壁紙体Ｔに対して、少なくとも１周分フィルムＢを巻き付けることができる。
【０２６４】
そして、この状態で、フィルム切断位置Ｙにおいて、フィルムＢを切断することができる。
【０２６５】
これにより、巻き取られた壁紙Ｇの表面ＧＡが、フィルムＢで少なくとも１周分覆われた状態であるので、壁紙Ｇの表面ＧＡが傷付くことがない。
【０２６６】
また、所定の長さの壁紙Ｇに糊付けした後に、壁紙切断位置Ｘで壁紙Ｇを切断し、巻き取り装置１００で貼着壁紙体Ｔを巻き取ることによって、巻き取られた貼着壁紙体Ｔに対して、少なくとも１周分フィルムＢを巻き付けた後、連続して糊付けした壁紙Ｇを再びフィルムＢに貼着して、貼着壁紙体Ｔを巻き取ることができ、これらの連続操作を繰り返した後に、最後にフィルム切断位置Ｙにおいて、フィルムＢを切断することができる。
【０２６７】
これにより、複数の長さの糊付けした壁紙Ｇを貼着した貼着壁紙体Ｔを、一定間隔離間して連続して巻き取ることができる。
【０２６８】
従って、例えば、一部屋分の、例えば、天井、壁面に貼着するために必要な糊付けされた壁紙Ｇ（ロール形状に巻かれた貼着壁紙体Ｔ）を得ることができ、極めて便利である。
【０２６９】
この場合、フィルムＢを切断するためのフィルム切断位置Ｙが、第２のテンション部材１２４と巻取軸１３２との間に位置するように構成されているのが望ましい。
【０２７０】
このように、フィルムＢを切断するためのフィルム切断位置Ｙが、第２のテンション部材１２４と巻取軸１３２との間に位置するように構成されていれば、テンションがかかった状態のフィルムＢを切断できるので、切断作業が容易である。
【０２７１】
また、一部屋分ではなく、一部屋の壁面が４面あるとすれば、その第１面、第２面、第３面、第４面の壁面と貼り付けする壁面ごとに貼り付ける順に、ロール形状に巻かれた貼着壁紙体Ｔを、複数準備することが可能となる。
【０２７２】
さらに、貼着壁紙体Ｔを、纏め過ぎるとかなりの重量となるために、例えば、２〜３本の糊付された壁紙を、１つのロール形状に巻かれた貼着壁紙体Ｔとするなど、施工業者にとり、任意の貼着壁紙体Ｔのロール状とすることができ、極めて便利である。
【０２７３】
さらに、図示しないが、フットスイッチを設けておき、フットスイッチを作動させると、壁紙糊付機本体の糊付けの開始、継続、停止、速度制御が行われるように設定していても良い。
【０２７４】
このように、駆動部２６の制御スイッチとは別に、フットスイッチが併設されており、フットスイッチを踏むことにより、壁紙糊付機本体の糊付けの開始、継続、停止、速度制御を行うことができるように構成しても良い。
【０２７５】
これにより、作業者の作業ペースで、壁紙の糊付け、フィルムの貼着、巻き取りを行うことでき、極めて便利である。
【０２７６】
また、補助巻取軸１３４が、巻取軸１３２に比較して剛性の小さな材料から構成されているのが望ましい。。
【０２７７】
このように構成することによって、補助巻取軸１３４が、巻取軸１３２に比較して剛性の小さな材料から構成されているので、巻取軸１３２と補助巻取軸１３４を保持する脱着自在な端部ブラケット部材１３６を取り外して、剛性の小さな材料から構成されている補助巻取軸１３４を撓ませて、巻取軸１３２と補助巻取軸１３４との離間距離を短くすることができ、巻き取られた貼着壁紙体Ｔを巻取軸１３２と補助巻取軸１３４からより容易に取り外すことができる。
【０２７８】
従って、貼着壁紙体Ｔの巻き取り、取り外しが簡単に可能で、例えば、マンションなどの広い場所を壁紙施工する際に、迅速に多くの貼着壁紙体をより容易に得ることができ、壁紙施工効率が向上することになる。
【０２７９】
また、巻取軸１３２の外径が、３〜１０ｍｍの範囲、より好ましくは、４〜８ｍｍ、さらに好ましくは、６ｍｍ程度に設定されているのが望ましい。
【０２８０】
巻取軸１３２の外径を、このような範囲とすることによって、巻取軸１３２の剛性が保たれ、巻取軸１３２と補助巻取軸１３４を保持する脱着自在な端部ブラケット部材１３６を取り外して、剛性の小さな材料から構成されている補助巻取軸２３４を撓ませて、巻取軸１３２と補助巻取軸１３４との離間距離を容易に短くすることができる。
【０２８１】
また、巻取軸１３２と補助巻取軸１３４との間の距離が、２０ｍｍ〜６０ｍｍの範囲に設定するのが望ましい。
この場合、巻き取り効率を考慮すれば、巻取軸１３２と補助巻取軸１３４との間の距離はできるだけ、大きく設定するのが望ましいが、最終的に巻き取られる貼着壁紙体Ｔの巻き取り直径に応じて、適宜選択すれば良い。
（実施例２）
【０２８２】
図９は、本発明の別の実施例の自動壁紙糊付機１０のための巻き取り装置１００を取り付けた状態を説明する自動壁紙糊付機１０の正面図、図１０は、図９の自動壁紙糊付機１０の上面図、図１１は、図９の自動壁紙糊付機１０のＮ方向の側面図、図１２は、本発明の自動壁紙糊付機１０のための巻き取り装置１００を説明する図１０の部分拡大図、図１３は、図１２のＥ―Ｅ方向の概略図であり、図１３（Ａ）は、巻取軸１３２の径を拡径して、貼着壁紙体Ｔを巻取軸１３２に巻き取る状態を説明する概略図、図１３（Ｂ）は、巻取軸１３２の径を縮径して、巻き取られた貼着壁紙体Ｔを巻取軸１３２から取り外す状態を説明する概略図、図１４は、自動壁紙糊付機１０の第２のテンション部材１２４の配置を示す概略図である。
【０２８３】
この実施例の自動壁紙糊付機１０は、図１〜図８に示した自動壁紙糊付機１０と基本的には同様な構成であり、同一の構成部材には、同一の参照番号を付して、その詳細な説明を省略する。
なお、図９では、説明の便宜上、フィルム送り出し装置１１０は省略して図示している。
【０２８４】
この実施例の自動壁紙糊付機１０では、図９〜図１４に示したように、巻き取り装置１００において、巻き取り機構１２６が、第２のテンション部材１２４を通過した貼着壁紙体Ｔを巻き取るための巻取軸１３２のみを備え、巻取軸１３２が、径の大きさが変更可能なように構成されている。
【０２８５】
すなわち、図１１〜図１２に示したように、巻取軸１３２が、断面半円形状の一対の巻取軸部材１３２ａ、１３２ｂから構成されている。これらの一対の巻取軸部材１３２ａ、１３２ｂは、スプリング１４１を備えたスプリング付き蝶番部材１４０によって、相互に離間（拡径）する方向に付勢されている。
【０２８６】
そして、端部ブラケット部材１３６を取り外して、図１３（Ａ）〜図１３（Ｂ）の状態となるように、手などで、巻き取られた貼着壁紙体Ｔが存在しない巻取軸１３２の端部を把持して、スプリング付き蝶番部材１４０のスプリング１４１の付勢力に抗して、巻取軸１３２の径を縮径することによって、巻き取られた貼着壁紙体Ｔを巻取軸１３２から取り外すことができるように構成されている。
【０２８７】
このように構成することによって、巻取軸１３２が、径の大きさが変更可能なように構成されているので、巻き取りの際には、巻取軸１３２の径を拡径して（図１３（Ａ）参照）、シワなく貼着壁紙体を巻取軸に巻き取ることができる。
【０２８８】
そして、巻取軸１３２を保持する脱着自在な端部ブラケット部材１３６を取り外して、スプリング付き蝶番部材１４０のスプリング１４１の付勢力に抗して、巻取軸１３２の径を縮径して（図１３（Ｂ）の矢印参照）、巻き取られた貼着壁紙体Ｔを巻取軸１３２から容易に取り外すことができる。
【０２８９】
従って、貼着壁紙体Ｔの巻き取り、取り外しが簡単に可能で、例えば、マンションなどの広い場所を壁紙施工する際に、迅速に多くの貼着壁紙体Ｔを得ることができ、壁紙施工効率が向上することになる。
【０２９０】
なお、この実施例では、ブラケット支持部材１０２は、一体型であり、第１のテンション部材１１２を脱着自在に係止する第１の切り欠き１４２、第２のテンション部材１２４を脱着自在に係止する第２の切り欠き１４４、ならびに、巻き取り機構１２６を脱着自在に係止する第３の切り欠き１４６が形成されている。
【０２９１】
また、図１４に示したように、第１のテンション部材１１２と、第２のテンション部材１２４とは近接した位置に配置されている。
【０２９２】
これにより、貼着壁紙体Ｔが、第１のテンション部材１１２と第２のテンション部材１２４との間を通過する際に、第１のテンション部材１１２と第２のテンション部材１２４により圧着されて、フィルムＢに対して壁紙Ｇの糊付け面（壁紙Ｇの裏面ＧＢ）の貼着状態の密着がより促進されるように構成されている。
【０２９３】
以上、本発明の好ましい実施の態様を説明してきたが、本発明はこれに限定されることはなく、本発明の巻き取り装置１００を脱着自在に装着する自動壁紙糊付機１０の構造は、実施例１〜実施例２に示したタイプ以外にも全てのタイプの自動壁紙糊付機１０に適用することが可能である。
【０２９４】
また、上記の実施例では、ハンドル部材１３８を手動で回転して巻き取るタイプを示したが、小型であれば、自動で（例えば、パウダークラッチを使用して）回転して巻き取りを行うことも可能である。
【０２９５】
さらに、上記の実施例では、ハンドル部材１３８を手動で回転して巻き取るタイプを示したが、従来のように折り畳んだり、直接、手で巻き取ったりするような構成とすることも可能であるなど本発明の目的を逸脱しない範囲で種々の変更が可能である。
【産業上の利用可能性】
【０２９６】
本発明は、壁紙（クロス）の裏面に、例えば、天井、壁面に貼着するための糊を、自動的に塗布し、壁紙の糊付け面が乾燥しないように、ならびに、糊皺を防止するために、フィルムが糊付け面に貼り付けられた状態の貼着壁紙体を作製するための自動壁紙糊付機のためのフィルム貼着装置、および、貼着壁紙体をロール形状に巻き取るための自動壁紙糊付機のための巻き取り装置、ならびに、それらを備えた巻き取り装置を備えた自動壁紙糊付機に適用することができる。
【符号の説明】
【０２９７】
１０    自動壁紙糊付機
１２    壁紙糊付機本体
１４    本体フレーム
１６    脚部フレーム
１６ａ    脚部フレーム
１６ｂ    脚部フレーム
１８    上部フレーム
１８ａ、１８ｂ    側板部
１８ｃ    把手
２０    下部フレーム
２０ａ    側板部
２０ａ、２０ｂ    側板部
２２    係止具
２４    ローラー
２６    駆動部
２８    表示・操作パネル部
２９    壁紙排出部
３２    壁紙原反ロール
３４    原反装着架台
３５    スリット部
３６    テンションバー
３８    ガイド板
４０    裁断部
４２    上刃
４４    下刃
４６    下部ステー
４８    送り出しローラー
５０    検尺ローラー
５２    回転軸
５４    検尺ローラーアーム
５６    アーム支点
５８    調整装置
６０    バネ
６２    バネ調整ネジ
６４    スリット板
６６    フォトマイクロセンサー
６８    糊付装置
７０    ハイテンションローラー
７２    糊付ローラー
７４    糊上ローラー
７６    ドクターローラー
７８    押えローラー
８０    ナラシローラー
８２    案内シュート
１００    巻き取り装置
１０２    ブラケット支持部材
１０４    基端部
１０６    締結部材
１０５    前方ブラケット
１０８    フィルム原反ロール
１０８ａ    軸部材
１１０    フィルム送り出し装置
１１１    カットテープ原反ロール
１１２    第１のテンション部材
１１４    締結部材
１１６    ブラケット部材
１１８    軸受け部
１２０    巻き取りブラケット部材
１２０ａ    ストッパー切り欠き
１２１    ピボット軸
１２２    ストッパー棒部材
１２４    第２のテンション部材
１２６    巻き取り機構
１２８    巻き取り軸支持ブラケット
１２８ａ    軸支用切り欠き
１３０    巻取部材
１３２    巻取軸
１３２ａ、１３２ｂ    巻取軸部材
１３４    補助巻取軸
１３６    端部ブラケット部材
１３８    ハンドル部材
１４０    スプリング付き蝶番部材
１４１    スプリング
１４２    第１の切り欠き
１４４    第２の切り欠き
１４６    第３の切り欠き
２００    壁紙糊付巻取機
２０２    移動用キャスター
２０４    架台フレーム
２０６    中央フレーム
２０８    壁紙糊付機本体
２１０    前方フレーム
２１１    後方フレーム
２１２    壁紙原反ロール
２１３    乾燥防止用フィルム原反ロール
２１４    案内ステー、または、案内ローラー
２１５    下方フレーム
２１６    送り出しローラー
２１８    検尺ローラー
２２０    カットテープ原反ロール
２２４    巻き取り装置
２２５    糊収容タンク（糊箱）
２２６    本体フレーム
２２８    上部フレーム
２３０    下部フレーム
２３１    糊付装置
２３２    係止具
２３４    ハイテンションローラー
２３６    糊付ローラー
２３８    糊上ローラー
２４０    ドクターローラー
２４２    ローラー
２４４    ナラシローラー
２４６    第１のテーブル
２４６ａ    テーブルフレーム
２４６ｂ    テーブル
２４８    第２のテーブル
２５０    ステー
２５２    制御ボックス
２５４    フットスイッチ
２６０    巻き取りアシスト装置
Ｂ    乾燥防止用フィルム
Ｃ    カットテープ
Ｇ    壁紙
ＧＡ    表面
ＧＢ    裏面
Ｈ    手動ハンドル
Ｉ    矢印
Ｋ    矢印
Ｌ    矢印
Ｍ    方向
Ｐ    中心
Ｑ    中心
Ｒ    巻き取り側
Ｔ    貼着壁紙体
Ｘ    壁紙切断位置
Ｙ    フィルム切断位置
Ｚ    鉛直方向（鉛直線）
【図１】
2020100077.tif 000003
【図２】
2020100077.tif 000004
【図３】
2020100077.tif 000005
【図４】
2020100077.tif 000006
【図５】
2020100077.tif 000007
【図６】
2020100077.tif 000008
【図７】
2020100077.tif 000009
【図８】
2020100077.tif 000010
【図９】
2020100077.tif 000011
【図１０】
2020100077.tif 000012
【図１１】
2020100077.tif 000013
【図１２】
2020100077.tif 000014
【図１３】
2020100077.tif 000015
【図１４】
2020100077.tif 000016
【図１５】
2020100077.tif 000017
【図１６】
2020100077.tif 000018
【図１７】
2020100077.tif 000019
【図１８】
2020100077.tif 000020